(57)【特許請求の範囲】
【請求項１】
波長の異なる光を射出する２つの光源と、前記２つの光源から射出された光の光記録媒体で反射された各々の戻り光を個別に受光する２つの受光部を同一基板上に形成した光検出器と、前記受光部のそれぞれに形成された複数に分割された受光素子パターンとを有する光ピックアップ装置の前記光検出器の取付位置を調整する光検出器取付位置調整方法であって、
一の前記受光部の複数に分割された受光素子パターンの光出力バランスを検出して、前記戻り光の一方の光スポットが前記一の受光部の略中央で受光されるように前記光検出器の取付位置を調整し、
前記戻り光の他方の光スポットを受光する他の前記受光部の複数に分割された受光素子パターンの光出力バランスを検出して、前記他方の光スポットと前記他の受光部の中心位置とのずれから前記光検出器の取付位置の回転方向の位置ずれを求め、
前記取付位置の回転方向の位置ずれに基づいて前記光検出器の取付位置を補正すること
を特徴とする光ピックアップ装置の光検出器取付位置調整方法。
【請求項２】
請求項１記載の光ピックアップ装置の光検出器取付位置調整方法において、
前記２つの光源は同一基板上に配置されていること
を特徴とする光ピックアップ装置の光検出器取付位置調整方法。
【請求項３】
波長の異なる光を射出する２つの光源と、前記２つの光源から射出された光の光記録媒体で反射された各々の戻り光を個別に受光する２つの受光部を同一基板上に形成した光検出器とを有する光ピックアップ装置の製造方法であって、
前記光検出器の取付位置を調整する光検出器取付位置調整工程で、請求項１又は２に記載の光検出器取付位置調整方法を用いること
を特徴とする光ピックアップ装置の製造方法。
【発明の詳細な説明】
【０００１】
【発明の属する技術分野】
本発明は、例えばＣＤとＤＶＤといった種類の異なる光記録媒体に対応して波長の異なる光を射出する複数の光源を備えるとともに各光記録媒体に対応して複数の受光部を備えた光ピックアップ装置において、複数の受光部を同一基板上に形成した光検出器の取付位置の調整を効率的に行えるようにした光ピックアップ装置の調整方法および製造方法、調整装置および光ピックアップ装置に関する。
【０００２】
【従来の技術】
特開２０００−２０７７６６号公報には、波長の異なる複数の光源と、複数の光源から射出して光記録媒体で反射した各々の戻り光を個別に受光する複数の受光部パターンを同一基板上に形成した光検出器と、複数の光源から光検出器に至る光路を共有する光学系とを備えた光ピックアップ装置およびそれを備えた光記録再生装置が記載されている。
【０００３】
上記公報には、複数の受光部パターンを同一基板上に形成することで、各々の受光部パターンが高精度な相対位置精度を有することにより、複数の光源から射出された波長の異なる光が光記録媒体で反射された各々の戻り光を受光部パターンに高精度に導くことが可能となり、種類の異なる光記録媒体に対して高品質の再生信号や記録信号を得ることが可能であることが記載されている。また、上記公報には、複数の光源を同一の半導体基板に構成すれば、光源の間隔を高精度で位置決めすることができることが記載されている。
【０００４】
【発明が解決しようとする課題】
このような光ピックアップ装置は、例えばアルミダイキャスト製の光学ベース（ハウジング：筺体）に、２波長半導体レーザ、光検出器（ホトダイオード集積回路：ＰＤ−ＩＣ）および光学系を構成する各種部材を取付けて製作される。この際に、光源である２波長半導体レーザ、受光部である光検出器および各種光学系部品の取付け位置を調整する必要がある。
【０００５】
特に、受光部である光検出器の取付けに際しては、光検出器を載置した受光部取付板（光検出器取付板）を光学ベースの受光部取付面に当接させた状態で、各光記録媒体からの戻り光（読み出し光，反射光）のスポットが各光記録媒体に対応した各受光部上に結像するように受光部取付板の位置を調整し、位置調整が完了した状態で、受光部取付板を例えば接着等によって光学ベースに固定する。
【０００６】
ここで、２系統の受光部を同一基板上に形成した光検出器の取付位置調整では、一方の受光部に一方の光記録媒体からの戻り光が入射するように光検出器の位置を調整しても、他方の受光部に他方の光記録媒体からの戻り光が正しく入射しないことがある。
【０００７】
このため光検出器の取付位置を光軸と直交するＸ及びＹの２方向に調整するとともに光検出器の向きを回転方向（θ方向）に調整する必要があり、光検出器の取付位置に調整に手間がかかってしまう。そこで、光検出器の取付方向のずれを検出してその向きを補正することで、光検出器の取付位置の調整を効率的に行えるようにすることが望まれている。
【０００８】
本発明はこのような課題を解決するためになされたもので、光検出器の取付位置の調整を効率的に行えるようした光ピックアップ装置の光検出器取付位置調整方法および製造方法、光検出器取付位置調整装置、及び光ピックアップ装置を提供することを目的とする。
【０００９】
【課題を解決するための手段】
上記目的は、波長の異なる光を射出する複数の光源と、前記複数の光源から射出された光の光記録媒体で反射された各々の戻り光を個別に受光する複数の受光部を同一基板上に形成した光検出器とを有する光ピックアップ装置の前記光検出器の取付位置を調整する光ピックアップ装置の光検出器取付位置調整方法であって、前記複数の受光部の各光出力バランスを検出して前記光検出器の回転方向の位置ずれを求め、前記回転方向の位置ずれに基づいて前記光検出器の取付位置を補正することを特徴とする光ピックアップ装置の光検出器取付位置調整方法によって達成される。
【００１０】
上記本発明の光ピックアップ装置の光検出器取付位置調整方法において、前記複数の光源は同一基板上に配置されていることを特徴とする。
【００１１】
上記本発明の光ピックアップ装置の光検出器取付位置調整方法において、前記複数の光源は２つであり、前記複数の受光部パターンは２つであることを特徴とする。
【００１２】
上記本発明の光ピックアップ装置の光検出器取付位置調整方法において、前記受光部の一方の光出力バランスを検出して、前記戻り光の一方の光スポットが前記一方の受光部の略中央で受光されるように前記光検出器の取付位置を調整し、前記戻り光の他方の光スポットを受光する他方の前記受光部の光出力バランスを検出して前記光検出器の回転方向の位置ずれを求め、前記回転方向の位置ずれに基づいて前記光検出器の取付位置を補正することを特徴とする。
【００１３】
上記本発明の光ピックアップ装置の光検出器取付位置調整方法において、前記戻り光の一方の光スポットが前記受光部の一方の略中央で受光されるように前記光検出器の取付位置を調整し、前記戻り光の他方の光スポットが前記受光部の他方の略中央で受光されるように前記光検出器の取付位置を調整し、先の調整位置と次の調整位置とに基づいて光検出器の回転方向の位置ずれを求め、前記回転方向の位置ずれに基づいて前記光検出器の取付位置を補正することを特徴とする。
【００１４】
上記本発明の光ピックアップ装置の光検出器取付位置調整方法において、前記戻り光の一方の光スポットが前記受光部の一方で受光でき、かつ、前記戻り光の他方の光スポットが前記受光部の他方で受光できるように前記光検出器の取付位置を調整し、前記一方の受光部の光出力バランスと前記他方の受光部の光出力バランスとを検出して前記光検出器の回転方向の位置ずれを求め、前記回転方向の位置ずれに基づいて前記光検出器の取付位置を補正することを特徴とする。
【００１５】
また、上記目的は、波長の異なる光を射出する複数の光源と、前記複数の光源から射出された光の光記録媒体で反射された各々の戻り光を個別に受光する複数の受光部を同一基板上に形成した光検出器とを有する光ピックアップ装置の製造方法であって、前記光検出器の取付位置を調整する光検出器取付位置調整工程で、上記本発明の光検出器取付位置調整方法を用いることを特徴とする光ピックアップ装置の製造方法によって達成される。
【００１６】
また、上記目的は、波長の異なる光を射出する複数の光源と、前記複数の光源から射出された光が光記録媒体で反射された各々の戻り光を個別に受光する複数の受光部を同一基板上に形成した光検出器とを有する光ピックアップ装置の前記光検出器の取付位置を調整する光検出器取付位置調整装置であって、前記光検出器が装着された光検出器取付板に係合する係合部と、前記係合部の位置を移動させ、且つ前記係合部の向きを回転させることで前記光検出器の取付位置を調整する取付位置調整機構と、前記複数の受光部で受光された各光スポットの各光出力バランスを検出して前記光検出器の回転方向の位置ずれを求め、前記回転方向の位置ずれに基づいて前記取付位置調整機構を駆動して前記光検出器の取付位置を補正する取付位置調整制御装置とを備えることを特徴とする光ピックアップ装置の光検出器取付位置調整装置によって達成される。
【００１７】
さらに上記目的は、波長の異なる光を射出する複数の光源と、前記複数の光源から射出された光が光記録媒体で反射された各々の戻り光を個別に受光する複数の受光部を同一基板上に形成した光検出器と、前記光検出器の取付位置を調整する調整機構を備えた光検出器取付板とを有することを特徴とする光ピックアップ装置によって達成される。
【００１８】
上記本発明の光ピックアップ装置において、前記複数の光源は、同一基板上に配置されていることを特徴とする。
【００１９】
【発明の実施の形態】
本発明の一実施の形態による光ピックアップ装置の光検出器取付位置調整方法および製造方法、光検出器取付位置調整装置、及び光ピックアップ装置について図１乃至図１２を用いて説明する。図１は本実施の形態による光ピックアップ装置の模式構造図である。本実施の形態による光ピックアップ装置１０は、ＣＤ−Ｒ等を含む各種のコンパクトディスク（ＣＤ）１ａおよび各種のデジタル・バーサタイル・ディスク（ＤＶＤ−ＲＯＭ，ＤＶＤ−ＲＡＭ等）１ｂなど種類の異なる光記録媒体に対応できるようになっている。光ピックアップ装置１０は、２波長半導体レーザ（レーザダイオード：ＬＤ）１１と、位相差板１２と、２波長半導体レーザ１１側から順に配置された回折格子１３ａ，１３ｂと、ビームスプリッタ１４と、コリメータレンズ１５と、図示を省略した立ち上げミラーと、対物レンズ１６と、光検出器取付板１７に取り付けられた光検出器（ＰＤ−ＩＣ：フォトダイオード集積回路）１８とを有している。
【００２０】
２波長半導体レーザ１１は、ＣＤ再生用の波長７８５ｎｍのレーザ光とＤＶＤ再生用の波長６５５ｎｍのレーザ光を出力する。この２波長半導体レーザ１１の光出力は再生クラス（例えば５ｍＷ）である。この２波長半導体レーザ１１は、半導体基板（半導体レーザ本体）を金属製等の筺体（ケース）に封止してあり、筺体に設けられたレーザ窓部から各レーザ光を射出するようになっている。不図示のバックモニタで２波長半導体レーザ１１の光出力量を検知し、２波長半導体レーザ１１に供給する電力をフィードバック制御することで光出力量を自動制御（ＡＰＣ：自動パワーコントロール）するようになっている。
【００２１】
図２は光源を構成する２波長半導体レーザ１１の概略構造を示す斜視図である。図２は半導体基板を封止する筺体を除いて、半導体レーザの本体部のみを示している。半導体レーザ１１は、例えばガリウム砒素（ＧａＡｓ）半導体基板１１ａ上に波長７８５ｎｍ用光導波路（第１の光導波路）１１ｂおよび波長６５５ｎｍ用光導波路（第２の光導波路）１１ｃが所定の間隔（例えば１１０μｍ）で形成されており、各光導波路の端部が各発光点１１ｄ，１１ｅとなっている。第１の発光点（ＣＤ用発光点）１１ｄからは波長７８５ｎｍのレーザ光が射出され、第２の発光点（ＤＶＤ用発光点）１１ｅからは波長６５５ｎｍのレーザ光が射出される。符号ＬＡは２つの光源の発光点の間隔である。半導体レーザ１１はフォトリソグラフィ工程で製造されるため、間隔ＬＡは高精度に形成され誤差が少ない。
【００２２】
各発光点１１ｄ，１１ｅから射出されたレーザ光は不図示の筺体に形成されたレーザ窓から筺体外部へ射出される。この２波長半導体レーザ１１は、波長６５５ｎｍ（ＤＶＤ用）のレーザ光を自励発振モードで発振させ、波長７８５ｎｍ（ＣＤ用）のレーザ光をゲインガイド型マルチモードで発振させる。なお、２波長半導体レーザ１１は、各波長のレーザ光をシングルモードで発振させるものでもよい。
【００２３】
図１に示す位相差板１２は１／４波長板であり、位相差板１２により直線偏光の光ビームを円偏光に変換する。一般にＤＶＤの高速再生には円偏光が望ましいとされている。本実施の形態では、位相差板１２として薄いガラス板の機能性フィルムを貼り付けたものを用いている。位相差板１２は、直線偏光の偏光面に対し光学軸が４５度傾くように設置する。
【００２４】
回折格子１３ａは、例えば半導体レーザ１１側の面にＤＶＤ用の格子面が形成され、回折格子１３ｂは、ビームスプリッタ１４側の面にＣＤ用の格子面が形成されている。回折格子１３ａ，１３ｂでの分割光量比率は、ＤＶＤ／ＣＤともに例えば、１（＋１次光）：６（０次光）：１（−１次光）である。格子ピッチは、例えばＤＶＤ側が２１．２μｍ、ＣＤ側が３１．０μｍである。ＤＶＤ格子面はＣＤ波長（７８５ｎｍ）では回折しないように、また、ＣＤ格子面はＤＶＤ波長（６５５ｎｍ）では回折しないように波長選択性を持たせている。この排他的な作用（波長選択性）は、通常の回折格子よりも溝深さを深くするともに、格子間隔のデューティ比を０．５からずらした格子形状とすることで実現している。
【００２５】
ビームスプリッタ１４は、半導体レーザ１１側からの光ビームを光記録媒体方向へ反射させ、また、光記録媒体からの反射光を光検出器１８側へ透過させるハーフミラーの機能を有している。本実施の形態では、平板形状のビームスプリッタ板（ＢＳ板）を用いている。
【００２６】
コリメータレンズ１５は、光源である半導体レーザ１１からの発散光線束を平行光線束に変換して対物レンズ１６に導くとともに、対物レンズ１６からの平行光線束を集束光線束に変換して光検出器１８へ導く。本実施の形態では、プラスチック射出成型による両面が非球面型のコリメータレンズを用いている。
【００２７】
図示を省略した立ち上げミラーは、コリメータレンズ１５からの平行光線束を対物レンズ１６の方向へ反射させ、また、対物レンズ１６からの平行光線束をコリメータレンズ１５側へ反射させる。本実施の形態では立ち上げミラーとして平面状のミラーを用いている。折り曲げ角度（反射角度）は約９０度である。
【００２８】
図３は対物レンズの構造図であり、図３（ａ）は正面図を示し、図３（ｂ）は側面図を示している。なお、図３（ｂ）では各ディスク（光記録媒体）１ａ，１ｂの側面も併せて示している。なお、図３（ｂ）において、符号Ｋａはコンパクトディスク（ＣＤ）の情報記録面、符号ＫｂはＤＶＤの情報記録面である。符号ｔａはコンパクトディスク（ＣＤ）の厚さ（ｔａ＝１．２ｍｍ）、符号ｔｂはＤＶＤの厚さ（ｔｂ＝０．６ｍｍ）である。
【００２９】
本実施の形態による光ピックアップ装置１０では、対物レンズ１６として２重焦点回折型の対物レンズを用いている。この対物レンズ（２重焦点回折対物レンズ）１６は、光学プラスチック材料を射出成型して製作されている。図３（ｂ）に示すように、対物レンズ１６は両面が非球面に形成されている。図３（ａ）に示すように、曲率の大きいレンズ面（立ち上げミラー側、すなわち光記録媒体とは反対側）には、断面が鋸歯状の多数の同心円輪帯１６ｃからなる回折格子が形成されている。なお、当該回折格子に代えてホログラフィック回折格子をレンズ面に形成してもよい。同心円輪帯１６ｃのレンズ面中心側領域はＣＤ／ＤＶＤ兼用領域１６ａであり、その外周側の領域はＤＶＤ専用領域１６ｂである。対物レンズ１６はＣＤ用（波長７８５ｎｍ）の光ビームをＣＤ１ａの情報記録面Ｋａに集束させ、また、ＤＶＤ用（波長６５５ｎｍ）の光ビームをＤＶＤ１ｂの情報記録面Ｋｂに集束させる。
【００３０】
各ディスク（光記録媒体）１ａ，１ｂは、情報記録面Ｋａ，Ｋｂをポリカーボネート等からなる保護膜で保護している。保護膜の厚さ（ほぼ光記録媒体の厚さに相当する）は光記録媒体の種類毎に異なる。保護膜の厚さに依存して入射光の球面収差が変化するので、光記録媒体の種類に応じて球面収差の量も異なる。そこで、２重焦点回折対物レンズ１６を用いることで、光記録媒体の種類による球面収差の相違を補正するようにしている。
【００３１】
なお、対物レンズ１６は不図示のアクチュエータ組立（アクチュエータアッセンブリ）上にフォーカス方向およびトラッキング方向（光記録媒体のラジアル方向）に移動自在に保持されている。そして、フォーカスサーボ制御およびトラッキングサーボ制御によって対物レンズ１６の位置が制御されて、光ビームのスポットを光記録媒体上の読み取り点に追従させることができるようになっている。
【００３２】
図１に示すように、２波長半導体レーザ１１から射出された直線偏光の光ビーム（レーザ光）は、位相差板１２で偏光方向を変えられた後に順次回折格子１３ａ，ｂに入射し、トラッキング用の２つのサブビーム（＋１次光，−１次光）とＲＦ検出用及びフォーカシング用のメインビーム（０次光）がビームスプリッタ１４に入射する。ビームスプリッタ１４に入射したメインビームおよび各サブビームのそれぞれの約半分の光量の光はビームスプリッタ１４で反射して進行方向が９０度曲げられてコリメータレンズ１５側へ射出する。コリメータレンズ１５に入射するメインビーム及び各サブビームは発散光線束である。
【００３３】
光検出器（ＰＤ−ＩＣ）１８は、コンパクトディスク１ａからの反射光（ＣＤ用）の受光部１８ａと、ＤＶＤ１ｂからの反射光（ＤＶＤ用）の受光部１８ｂとを備えている。図中の符号ＬＢは各受光部１８ａ，１８ｂの間隔を示している。光検出器１８は、メインビームおよびサブビームをそれぞれ受光してメインビームおよびサブビームのそれぞれに対応した電流信号に変換する受光部（ＰＤ：フォトダイオード部またはフォトディテクト部）と、受光部で発生した電流信号を電圧信号に変換して所定の演算を施して各種信号（再生信号（ＲＦ信号）、フォーカス誤差信号（ＦＥＳ）、トラッキング誤差信号等）を生成・出力する演算部（ＩＣ部）とを有している。本実施の形態では、受光部および演算部（ＩＣ部）をモノリシックＩＣで構成し、このモノリシックＩＣを例えば１４ピンのＣＯＢ（チップ・オン・ボード）パッケージに封入している。
【００３４】
図４は光検出器の受光部の受光素子パターン構成を示している。図４中の符号ＬＢは、ＣＤ用受光部１８ａの中心点とＤＶＤ用受光部１８ｂの中心点との間隔である。ＣＤ用受光部１８ａは、メインビーム受光素子パターン部１８ａ１と、第１のサブビーム受光素子パターン部１８ａ２と、第２のサブビーム受光素子パターン部１８ａ３とを備える。メインビーム受光素子パターン部１８ａ１は、田の字状に４分割された４個のメインビーム受光素子パターンＡ，Ｂ，Ｃ，Ｄを有している。
【００３５】
ＣＤ用受光部１８ａの第１のサブビーム受光素子パターン部１８ａ２は、図示の上下方向に２分割された各サブビーム受光素子パターンＥ１，Ｅ２を有している。メインビーム受光素子パターン部１８ａ１に近い側のサブビーム受光素子パターンＥ１は、遠い側のサブビーム受光素子パターンＥ２よりも面積が広く設定されている。この第１のサブビーム受光素子パターン部１８ａ２は、メインビーム受光素子パターン部１８ａ１に対して図示左方向に少しずらして配置されている。
【００３６】
ＣＤ用受光部１８ａの第２のサブビーム受光素子パターン部１８ａ３は、図示の上下方向に２分割された各サブビーム受光素子パターンＦ１，Ｆ２を有している。メインビーム受光素子パターン部１８ａ１に近い側のサブビーム受光素子パターンＦ２は、遠い側のサブビーム受光素子パターンＦ２よりも面積が広く設定されている。この第２のサブビーム受光素子パターン部１８ａ３は、メインビーム受光素子パターン部１８ａ１に対して図示右方向に少しずらして配置されている。なお、本実施の形態では、各受光素子パターン部内における各受光素子パターンの分割間隔はそれぞれ４μｍ程度としている。
【００３７】
ＤＶＤ用受光部１８ｂは、メインビーム受光素子パターン部１８ｂ１と、第１のサブビーム受光素子パターン部１８ｂ２と、第２のサブビーム受光素子パターン部１８ｂ３とを備える。メインビーム受光素子パターン部１８ｂ１は、田の字状に４分割された４個のメインビーム受光素子パターンａ，ｂ，ｃ，ｄを有している。
【００３８】
ＤＶＤ用受光部１８ｂの第１のサブビーム受光素子パターン部１８ｂ２は、田の字状に４分割された４個のサブビーム受光素子パターンｅ１，ｅ２，ｅ３，ｅ４を有している。この第１のサブビーム受光素子パターン部１８ｂ２は、メインビーム受光素子パターン部１８ｂ１に対して図示左方向に少しずらして配置されている。第２のサブビーム受光素子パターン部１８ｂ３は、田の字状に４分割された４個のサブビーム受光素子パターンｆ１，ｆ２，ｆ３，ｆ４を有している。この第２のサブビーム受光素子パターン部１８ｂ３は、メインビーム受光素子パターン部１８ｂ１に対して図示右方向に少しずらして配置されている。なお、本実施の形態では、各受光素子パターン部内における各受光素子パターンの分割間隔はそれぞれ４μｍ程度としている。
【００３９】
さらに、ＤＶＤ用受光部１８ｂのメインビーム受光素子パターン部１８ｂ１は、ＣＤ用受光部１８ａ１のメインビーム受光素子パターン部１８ａ１に対して図中下方向に少しずらして配置されている。
【００４０】
図５は光検出器（ＰＤ−ＩＣ）１８の動作様式の説明図である。図５は光記録媒体（ディスク）の種類（ＤＶＤ−ＲＯＭ，ＤＶＤ−ＲＡＭ，ＣＤ−ＲＯＭおよびＣＤ−ＲＷの３区分）と、再生に使用する受光素子と、フォーカス誤差検出方法およびトラッキング誤差検出方法との関係を表形式に示したものである。なお、図５では光ビームスポットを表わす丸印を付けることで再生に使用する受光素子を示している。
【００４１】
ＤＶＤ−ＲＯＭを再生する場合は、ＤＶＤ用受光部のメインビーム受光素子パターンａ，ｂ，ｃ，ｄのみを使用する。フォーカス誤差検出（ＦＥＳ）は非点収差法を用いて行う。各受光素子パターンａ，ｂ，ｃ，ｄの出力をそれぞれＶａ，Ｖｂ，Ｖｃ，Ｖｄとすると、非点収差法によるフォーカス誤差検出出力ＦＥＳは次式で示される。
ＦＥＳ＝（Ｖａ＋Ｖｃ）−（Ｖｂ＋Ｖｄ）
【００４２】
ＤＶＤ−ＲＯＭの再生に際してトラッキング誤差検出（ＲＥＳ）は位相差法を用いて行う。位相差法は、トラックずれが生じるとピットによる振幅変調に加えて位相変調も検出できることを利用してトラッキング誤差を検出する。なお、ＤＶＤ−ＲＯＭのみを再生する場合は、サブビームが不要であるので回折格子１３ａ，１３ｂは不要である。
【００４３】
ＤＶＤ−ＲＡＭを再生する場合は、ＤＶＤ用受光部の全ての受光素子パターンを使用する。フォーカス誤差検出（ＦＥＳ）は差動非点収差法を用いて行う。ＤＶＤ−ＲＡＭはディスク面に形成されたランドとグルーブが等幅であり、通常の非点収差法では溝横断ノイズが発生する。この溝横断ノイズはメインビームとサブビームで逆位相となるので、メインビームによる検出出力とサブビームによる検出出力を加算することで溝横断ノイズを除去することができる。そこで、メインビームとサブビームの双方を用いて非点収差検出を行う。各受光素子パターンａ〜ｄ，ｅ１〜ｅ４，ｆ１〜ｆ４の出力をそれぞれＶａ〜Ｖｄ，Ｖｅ１〜Ｖｅ４，Ｖｆ１〜Ｖｆ４とすると、差動非点収差法（ＤＡＤ）によるフォーカス誤差検出出力ＤＡＤ−ＦＥＳは次式で示される。なお、次式において、ｋは係数である。
ＤＡＤ−ＦＥＳ＝｛（Ｖａ＋Ｖｃ）−（Ｖｂ＋Ｖｄ）｝＋ｋ｛（Ｖｆ１＋Ｖｆ３＋Ｖｅ１＋Ｖｅ３）−（Ｖｆ２＋Ｖｆ４＋Ｖｅ２＋Ｖｅ４）｝
【００４４】
ＤＶＤ−ＲＡＭの再生に際してトラッキング誤差（ＲＥＳ）の検出は差動プッシュプル法を用いて行う。ＤＶＤ−ＲＡＭはランド−グルーブ構造であるため３ビーム法を適用できない。また、ＤＶＤ−ＲＡＭは千鳥状のエンボスピットによって記録されたアドレス情報（ＣＡＰＡ）を再生するためにプッシュプル出力が必要である。一方、単純プッシュプル法は、メインビームのみでトラッキング誤差を検出するため調整が簡単であるがラジアルシフト特性が悪い。差動プッシュプル法（ＤＰＰ）は、メインビームのプッシュプル出力とサブビームのプッシュプル出力とがラジアルシフトにオフセットを生じた場合でも、サブビームのプッシュプル出力波形を上下反転させて同相の２信号を加算することで、ラジアルシフト特性が改善された良好なトラッキング誤差出力を得るものである。なお、この差動プッシュプル法では、各サブビームがメインビームに対してそれぞれ１トラック周期の１／２周期ずれていることが前提条件となる。
【００４５】
ＣＤ−ＲＯＭおよびＣＤ−ＲＷを再生する場合は、ＣＤ用受光部の各受光素子パターンＡ，Ｂ，Ｃ，Ｄ，Ｅ１，Ｅ２，Ｆ１，Ｆ２を使用する。フォーカス誤差検出（ＦＥＳ）は非点収差法を用いて行う。各受光素子パターンＡ，Ｂ，Ｃ，Ｄの出力をそれぞれＶＡ，ＶＢ，ＶＣ，ＶＤとすると、非点収差法によるフォーカス誤差検出出力ＦＥＳは次式で示される。
ＦＥＳ＝（ＶＡ＋ＶＣ）−（ＶＢ＋ＶＤ）
【００４６】
ＣＤ−ＲＯＭおよびＣＤ−ＲＷの再生に際してトラッキング誤差検出（ＲＥＳ）は３ビーム法を用いて行う。この３ビーム法はＣＤ（コンパクトディスク）のトラッキング検出法として広く用いられている。各サブビームはメイントラックに対してそれぞれトラックピッチの１／４ピッチ分ずつずれて配置される。各受光素子パターンＥ１，Ｅ２，Ｆ１，Ｆ２の出力をそれぞれＶＥ１，ＶＥ２，ＶＦ１，ＶＦ２とすると、３ビーム法によるトラッキング誤差検出出力（ＲＥＳ）は次式で示される。
ＦＥＳ＝（ＶＥ１＋ＶＥ２）−（ＶＦ１＋ＶＦ２）
【００４７】
なお、３ビーム法では、第１のサブビームの受光素子パターン部を各サブビーム受光素子パターンＥ１，Ｅ２に２分割しなくてもよく、同様に第２のサブビームの受光素子パターン部を各サブビーム受光素子パターンＦ１，Ｆ２に２分割しなくてもよい。
【００４８】
コリメータレンズ１５はビームスプリッタ１４側から入射した光ビーム（発散光線束）を平行光線束に変換する。コリメータレンズ１５から射出した光ビーム（平行光線束）は図示を省略した立ち上げミラーによって光ビームの進行方向が光記録媒体（各ディスク１ａ，１ｂ）のディスク面（記録面）にほぼ直交する方向へ変更されて、対物レンズ１６に入射し、対物レンズ１６で集束光線束となって各光記録媒体１ａ，１ｂの情報記録面にスポット光として照射される。
【００４９】
各ディスク（光記録媒体）１ａ，１ｂで反射された反射光は、対物レンズ１６、不図示の立ち上げミラー、コリメータレンズ１５の順でビームスプリッタ１４に至り、約半分の光量の光がビームスプリッタ１４を透過する。ビームスプリッタ１４を透過した光は光検出器１８へ至り、光検出器１８で電気信号へ変換される。
【００５０】
図６は本実施の形態による他の光ピックアップ装置の模式構造図である。図６に示す光ピックアップ装置２０は、２波長半導体レーザ２１から射出された光ビームの光軸を、対物レンズ２６から光検出器２８に至る反射光の光軸に直交する方向に対して所定の角度傾けることで、光ピックアップ装置２０の幅方向（反射光側の光学系の光軸に直交する方向）の寸法を小さくして、光ピックアップ装置２０のさらなる小型化を図ったものである。
【００５１】
この光ピックアップ装置２０の構成および作用は図１に示した光ピックアップ装置１０と基本的に同じである。なお図６では、２波長半導体レーザ２１から射出されたレーザ光が位相差板２２で反射してレーザ２１に戻ることを防止するために位相差板２２を傾けて配置した例を示している。符号２１ａはレーザ光が射出するレーザ窓である。符号ＬＡは第１の発光点２１ｄと第２の発光点２１ｅとの間隔である。符号ＬＢは各受光部の間隔である。
【００５２】
この光ピックアップ装置２０では、ビームスプリッタ２４として平行平板形状の基材を用いている。ビームスプリッタ２４の一方の面（２波長半導体レーザ２１側の面）２４ａにはハーフミラー膜が形成されている。また、ビームスプリッタ板２４の他方の面（光検出器２８側の面）２４ｂには有害光反射防止膜が形成されている。
【００５３】
２波長半導体レーザ２１から射出された光ビームは、位相差板２２、回折格子２３ａ，２３ｂを介してビームスプリッタ２４の一方の面２４ａに入射し、一部がビームスプリッタ２４で反射する。ビームスプリッタ板２４で反射した光ビームは、コリメータレンズ２５で平行光線束に変換され、立ち上げミラー（不図示）によって紙面垂直方向に折り曲げられ、対物レンズ（２重焦点回折型対物レンズ）２６で集束されて不図示の光記録媒体の情報記録面に光スポットとして照射される。
【００５４】
不図示の光記録媒体で反射された反射光ビームは、対物レンズ２６、立ち上げミラー（不図示）、コリメータレンズ２５を経由してビームスプリッタ２４に至り、一部がビームスプリッタ２４を透過する。ビームスプリッタ２４を透過した反射光ビームは、光検出器２８の各受光部２８ａ，２８ｂに入射し、各受光部２８ａ，２８ｂによって反射光ビーム強度が検出される。
【００５５】
図１および図６に示した光ピックアップ装置１０，２０は、不図示の光学ベース（ハウジング：筺体）に、光源である２波長半導体レーザ１１，２１と、位相差板１２，２２と、回折格子１３ａ，１３ｂ，２３ａ，２３ｂと、ビームスプリッタ１４，２４と、コリメータレンズ１５，２５と、図示を省略した立ち上げミラーと、対物レンズ１６，２６と、光検出器取付板１７，２７に取り付けられた光検出器１８，２８とを取付けて製造される。
【００５６】
図７は光検出器の取付位置の調整方法の一例を示す斜視図、図８は光検出器の取付部の構造の一例を示す図であり、図８（ａ）は平面図、図８（ｂ）は側面図、図８（ｃ）は光検出器取付板に対する光検出器の取付構造を示す図、図９は本実施の形態による光検出器取付位置調整装置のブロック構成図である。
【００５７】
図８（ｃ）に示すように、光検出器１８が実装された基板（ＣＯＢ基板）４１にフレキシブル配線板（ＦＰＣ）４２を接続した光検出器組立が光検出器取付板１７に取り付けられている。光検出器１８の各端子（不図示）はＣＯＢ基板４１の各端子（不図示）に電気的にそれぞれ接続されている。そして、ＣＯＢ基板４１の各端子（不図示）とフレキシブル配線板４２に設けられた各端子（不図示）とが電気的にそれぞれ接続されている。これにより、光検出器１８の各受光素子パターン部の光検出出力信号がフレキシブル配線板４２を介して外部に取り出される。
【００５８】
図８（ｂ）に示すように、光検出器取付板１７には少なくとも２箇所に孔１７ａ，１７ｂが設けられている。本実施の形態では、第１の孔１７ａを各受光部１８ａ，１８ｂの中心位置（設計上の中心位置）に対応する位置に形成し、第２の孔１７ｂを光検出器取付板１７の隅部に形成している。なお、各孔１７ａ，１７ｂは光検出器取付板１７を貫通するいわゆる透孔ではなく、穴状の溝であってもよい。さらに、孔の代替として凸部を設けるようにしてもよい。また、孔または凸部を１箇所に設け、光検出器取付板１７の側辺部に例えばＵ字状やＶ字状の切欠部を設けるようにしてもよい。なお、本実施の形態では、第１の孔１７ａを各受光部１８ａ，１８ｂの中心位置に設けたが、必ずしも各受光部１８ａ，１８ｂの中心位置に設ける必要はない。孔，溝，切欠部等の代わりに切り起こし部を設けるようにしてもよい。
【００５９】
図８（ａ）に示すように、光検出器１８を装着した光検出器取付板１７の左右両端側を光学ベース（ハウジング：筺体）の各取付部１９Ｌ，１９Ｒの側端面に当接させた状態で、光検出器取付板１７の位置を調整することで光検出器１８の取付位置を調整する。そして、取付位置の調整が完了した後に、本実施の形態では、光検出器取付板１７の左右の側端面と各取付部１９Ｌ，１９Ｒの側端面と各当接部に接着剤を塗布して光検出器取付板１７を固定する。
【００６０】
図７に示すように、光検出器１８の取付位置の調整は、光検出器取付板１７に形成された各孔１７ａ，１７ｂに係合する各係合ピン３１，３１を有する位置調整治具３２を用いて行う。具体的には、各係合ピン３１，３１の先端を各孔１７ａ，１７ｂに挿入し、各係合ピン３１，３１を介して光検出器取付板１７を各取付部１９Ｌ，１９Ｒの側端面に当接させた状態で、位置調整治具３２をＸ方向（図示の左右方向）、Ｙ方向（図示の上下方向）に移動させ、さらに、位置調整治具３２をθ方向（光検出器を回転させる方向）に回転させることで、光検出器１８の取付位置を調整する。
【００６１】
図９に示すように光検出器取付位置調整装置３０は、光検出器取付板１７との係合部となる各係合ピン３１，３１を所定の位置に備えた取付位置調整治具３２と、この取付位置調整治具３２の移動・回転を行う取付位置調整機構３３と、取付位置調整制御装置３９とを有している。
【００６２】
取付位置調整機構３３は、取付位置調整治具３２を回転駆動させる回転駆動機構３４と、この回転駆動機構３４が取り付けられた３軸移動テーブル３５と、３軸移動テーブル３５を水平方向（左右方向：Ｘ方向）へ移動させる水平方向駆動機構３６と、３軸移動テーブル３５を垂直方向（上下方向：Ｙ方向）へ駆動する垂直方向駆動機構３７と、３軸移動テーブル３５を前後方向（Ｚ方向）へ移動させる前後方向駆動機構３８とを備える。３軸移動テーブル３５を前方向に移動させることで、取付位置調整治具３２の先端側に取り付けた各係合ピン３１，３１を光検出器取付板１７の光検出器１８の取付位置および向きを調整するための機構である各孔１７ａ，１７ｂに係合させることができる。また、３軸移動テーブル３５を後方向に移動させることで、光検出器取付板１７との係合を解除することができる。
【００６３】
回転駆動機構３４は、ステッピングモータと減速ギア機構（共に不図示）等を備える。この回転駆動機構３４は、ステッピングモータを数ステップ乃至数１０ステップ駆動することで、取付位置調整治具３２を１度回転させる。
【００６４】
取付位置調整制御装置３９は、光検出器１８の各受光素子パターン部の各検出出力に基づいて各戻り光に対する光検出器１８の取付位置のずれ及び光検出器１８の取付方向のずれ（傾き）を求め、求めたずれ方向やずれ量に基づいて各駆動機構３４，３６，３７，３８を介して位置調整治具３２の位置および向き（回転方向の向き）を調整することで、光検出器１８の各受光部１８ａ，１８ｂの略中心位置に各系統の戻り光の光スポットがくるように自動調整する。
【００６５】
次に、光検出器１８の取付位置のずれ及び光検出器１８の取付方向のずれ（傾き）を求める方法について説明する。
図１０は各戻り光の光ビームスポットに対する光検出器の取付傾き（取付位置の回転方向の位置ずれ）を検出する方法の一例を示す説明図である。光検出器１８の光軸に対する回転方向の位置ずれの検出には、各メインビーム受光素子パターン部１８ａ１，１８ｂ１を用いて行う。
【００６６】
まず、いずれか一方のメインビーム受光素子パターン部の４つのメインビーム受光素子パターン（ここではＤＶＤ用受光部１８ｂのメインビーム受光素子パターン部１８ｂ１の４つのメインビーム受光素子パターンａ，ｂ，ｃ，ｄ）の光出力Ｉａ，Ｉｂ，Ｉｃ，Ｉｄの光出力バランスを検出して、ＤＶＤ用戻り光の光ビームスポットとメインビーム受光素子パターン部１８ｂ１の中心位置とのずれを求める。
【００６７】
具体的には、４分割されたメインビーム受光素子パターンａ，ｂ，ｃ，ｄの中の上側の２つのメインビーム受光素子パターンａ，ｂの光出力の和（Ｉａ＋Ｉｂ）と下側２つのメインビーム受光素子パターンｃ，ｄの光出力の和（Ｉｃ＋Ｉｄ）との差｛（Ｉａ＋Ｉｂ）−（Ｉｃ＋Ｉｄ）｝を求める。求めた差｛（Ｉａ＋Ｉｂ）−（Ｉｃ＋Ｉｄ）｝の極性および値から上下方向（Ｙ方向）のずれの方向およびずれ量を知ることができる。上記の差を求める代わりに、上側の２つのメインビーム受光素子パターンａ，ｂの光出力の和（Ｉａ＋Ｉｂ）と下側２つのメインビーム受光素子パターンｃ，ｄの光出力の和（Ｉｃ＋Ｉｄ）との比を求めるようにしてもよい。比を求めた場合は、求めた比が１以上であるか１以下であるかに基づいてずれの方向を知ることができ、求めた比の値に基づいてずれ量を知ることができる。
【００６８】
同様に、４分割されたメインビーム受光素子パターンａ，ｂ，ｃ，ｄの中の右側の２つのメインビーム受光素子パターンｂ，ｃの光出力の和（Ｉｂ＋Ｉｃ）と左側２つのメインビーム受光素子パターンａ，ｄの光出力の和（Ｉａ＋Ｉｄ）との差｛（Ｉｂ＋Ｉｃ）−（Ｉａ＋Ｉｄ）｝を求める。求めた差の｛（Ｉｂ＋Ｉｃ）−（Ｉａ＋Ｉｄ）｝の極性および値から左右方向（Ｘ方向）のずれの方向およびずれ量を知ることができる。上記の差を求める代わりに、右側の２つのメインビーム受光素子パターンａ，ｂの光出力の和（Ｉｂ＋Ｉｃ）と左側２つのメインビーム受光素子パターンｃ，ｄの光出力の和（Ｉａ＋Ｉｄ）との比を求めるようにしてもよい。比を求めた場合は、求めた比が１以上であるか１以下であるかに基づいてずれの方向を知ることができ、求めた比の値に基づいてずれ量を知ることができる。
【００６９】
ＤＶＤ用戻り光の光ビームスポットの結像位置とメインビーム受光素子パターン部１８ｂ１の中心位置とのずれが求まると、そのずれを補正するように光検出器１８の取付位置を左右方向（Ｘ方向）および上下方向（Ｙ方向）に調整する。これにより、図１０において仮想線で示したように、メインビーム受光素子パターン部１８ｂ１の中心位置からずれていたＤＶＤ用戻り光の光ビームスポットは、実線で示すように光ビームスポットの中心が４分割された各メインビーム受光素子パターンａ，ｂ，ｃ，ｄの略中心位置にくる。
【００７０】
次に、上記の光検出器１８の取付位置の左右方向（Ｘ方向）および上下方向（Ｙ方向）の調整がなされた状態で、ＣＤ用受光部１８ａのメインビーム受光素子パターン部１８ａ１の４つのメインビーム受光素子パターンＡ，Ｂ，Ｃ，Ｄの光出力のバランスを検出する。
【００７１】
図１０に示すように、ＣＤ用戻り光の光ビームスポットが受光素子パターン部１８ａ１の上方側にずれている場合は、上側の２つのメインビーム受光素子パターンＡ，Ｂの光出力の和と下側の２つのメインビーム受光素子パターンＣ，Ｄの光出力の和との差｛（ＩＡ＋ＩＢ）−（ＩＣ＋ＩＤ）｝は正の値となる。これにより、光検出器１８の取付向きが右回転方向（時計回り方向）にずれていることが分かる。
【００７２】
ここで、光検出器１８の取付角度のずれ量と前記差｛（ＩＡ＋ＩＢ）−（ＩＣ＋ＩＤ）｝の値との関係を予め求め、その関係を表わす式を登録しておくことで、前記差｛（ＩＡ＋ＩＢ）−（ＩＣ＋ＩＤ）｝から光検出器１８の取付角度のずれ量（補正すべき角度）を計算によって求めることができる。または、光検出器１８の取付角度のずれ量と前記差｛（ＩＡ＋ＩＢ）−（ＩＣ＋ＩＤ）｝の値との関係をテーブルとして例えば不揮発性半導体メモリ等に格納しておけば、当該テーブルを参照することで、前記差｛（ＩＡ＋ＩＢ）−（ＩＣ＋ＩＤ）｝から光検出器１８の取付角度のずれ量（補正すべき角度）を求めることができる。
【００７３】
なお、前記差｛（ＩＡ＋ＩＢ）−（ＩＣ＋ＩＤ）｝の代わりに、上側の２つのメインビーム受光素子パターンＡ，Ｂの光出力の和（ＩＡ＋ＩＢ）と下側の２つのメインビーム受光素子パターンＣ，Ｄの光出力の和（ＩＣ＋ＩＤ）との比｛（ＩＡ＋ＩＢ）／（ＩＣ＋ＩＤ）｝に基づいて、光検出器１８の取付向きずれ方向およびずれ量（ずれ角度）を求めるようにしてもよい。
【００７４】
光検出器１８の取付向きのずれ方向およびずれ量（ずれ角度）が求まると、そのずれ量を補正するように、光検出器１８の取付向きを調整する。その後に、いずれか一方のメインビーム受光素子パターン部の４つのメインビーム受光素子パターン（ここではＤＶＤ用受光部１８ｂのメインビーム受光素子パターン部１８ｂ１の４つのメインビーム受光素子パターンａ，ｂ，ｃ，ｄ）の光出力Ｉａ，Ｉｂ，Ｉｃ，Ｉｄのバランスを検出し、ＤＶＤ用戻り光の光ビームスポットがメインビーム受光素子パターン部１８ｂ１の中心位置にくるように、光検出器１８の位置を左右方向（Ｘ方向）および上下方向（Ｙ方向）に調整する。これにより、ＤＶＤ用戻り光の光ビームスポットがメインビーム受光素子パターン部１８ｂ１の略中心位置にくるように、かつ、ＣＤ用戻り光の光ビームスポットがメインビーム受光素子パターン部１８ａ１の略中心位置にくるように調整される。
【００７５】
なお、上記の光検出器の取付位置の調整は、図９に示した光検出器取付位置調整装置３０を用いて、光ピックアップ装置１０，２０を不図示の光ピックアップ装置装着治具に装着して行う。この際、試験用光ディスクを用いて戻り光を発生させる。この試験用光ディスクは、ＣＤ用の読取り光をＣＤ用の情報記録面に対応した位置で反射させてＣＤ用の戻り光を発生させ、ＤＶＤ用の読取り光をＤＶＤ用の情報記録面に対応した位置で反射させてＤＶＤ用の戻り光を発生させる。
【００７６】
なお、図９に示した光検出器取付位置調整装置３０を用いずに、手動等で光検出器１８の取付位置の調整を行うようにしてもよい。この場合は、画像表示装置の画面上に、各メインビーム受光素子パターン部１８ａ１，１８ｂ１の形状を表示するとともに、各メインビーム受光素子パターン部１８ａ１，１８ｂ１の各光検出出力Ｉａ〜Ｉｄ，ＩＡ〜ＩＤに基づいて求めた各戻り光の光ビームスポットの位置を表示させ、さらに、光検出器１８または光検出器取付板１７を移動させる方向および移動量ならびに回転方向および回転角度を表示させる。移動させる方向は画面上に矢印等で表示し、その矢印の長さで移動量を表現するようにしてもよい。回転方向も同様に矢印で表示し、その矢印長さや太さ等で回転させる角度を表現するようにしてもよい。
【００７７】
図１０では、ＤＶＤ用戻り光の光ビームスポットがＤＶＤ用受光部１８ｂのメインビーム受光素子パターン１８ｂ１の中心にくるように光検出器１８の取付位置を調整した後に、ＣＤ用受光部１８ａのメインビーム受光素子パターン１８ａ１の光出力バランスを検出し、検出された光出力バランスに基づいて光検出器１８の取付傾きを検出してその傾きを補正する方法を示したが、ＣＤ用戻り光の光ビームスポットがＣＤ用受光部１８ａのメインビーム受光素子パターン１８ａ１の中心にくるように光検出器１８の取付位置を調整した後に、ＤＶＤ用受光部１８ｂのメインビーム受光素子パターン１８ｂ１の光出力バランスを検出し、検出された光出力バランスに基づいて光検出器１８の取付傾きを検出してその傾きを補正するようにしてもよい。
【００７８】
図１１は各戻り光の光ビームスポットに対する光検出器の取付傾き（取付位置の回転方向の位置ずれ）を検出する方法の他の例を示す説明図である。まず、図１１（ａ）に示すように、ＤＶＤ用戻り光の光ビームスポットがＤＶＤ用メインビーム受光素子パターン部１８ｂ１の略中央にくるように光検出器１８の位置を調整する。なお、ここでは４分割されたメインビーム受光素子パターンａ，ｂ，ｃ，ｄの中の上側の２つのメインビーム受光素子パターンａ，ｂの光出力の和（Ｉａ＋Ｉｂ）と下側２つのメインビーム受光素子パターンｃ，ｄの光出力の和（Ｉｃ＋Ｉｄ）との差｛（Ｉａ＋Ｉｂ）−（Ｉｃ＋Ｉｄ）｝がゼロになるように上下方向（Ｙ方向）の取付位置が調整されれば、光ビームスポットの位置が左右方向（Ｘ方向）にずれていてもよい。
【００７９】
次に、上記差｛（Ｉａ＋Ｉｂ）−（Ｉｃ＋Ｉｄ）｝がゼロになるように上下方向（Ｙ方向）の取付位置が調整された状態で、ＣＤ用メインビーム受光素子パターン部１８ａ１の各光検出出力ＩＡ〜ＩＤに基づいて、ＣＤ用戻り光の光ビームスポットの位置を認識する。ここでは、ＣＤ用メインビーム受光素子パターン部１８ａ１の中心位置に対してＣＤ用戻り光の光ビームスポットが上方向にずれているか下方向にずれているかを検出するだけでよい。
【００８０】
次に、検出したずれ方向を補正する方向へ光検出器１８の取付位置を上または下方向（Ｙ方向）へ移動させる。ここでは、４分割されたメインビーム受光素子パターンＡ，Ｂ，Ｃ，Ｄの中の上側の２つのメインビーム受光素子パターンＡ，Ｂの光出力の和（ＩＡ＋ＩＢ）と下側２つのメインビーム受光素子パターンＣ，Ｄの光出力の和（ＩＣ＋ＩＤ）との差｛（ＩＡ＋ＩＢ）−（ＩＣ＋ＩＤ）｝がゼロになるまで、光検出器１８の取付位置をＹ方向へ移動する。そして、上記差｛（ＩＡ＋ＩＢ）−（ＩＣ＋ＩＤ）｝がゼロとなるまでのＹ方向の移動距離ΔＹを求める。
【００８１】
図１１（ｂ）に示すように、Ｙ方向の移動距離ΔＹが求まれば、各受光部１８ａ，１８ｂ間の距離ＬＢとＹ方向の移動距離ΔＹとの関係から光検出器１８の取付向きの傾きθが求まる（θ＝ｔａｎ（ΔＹ／ＬＢ））。
【００８２】
そこで、求めた傾き角度θだけ光検出器１８の取付向きを補正した後に、光検出器１８の取付位置を左右方向（Ｘ方向）および上下方向（Ｙ方向）に調整することで、各戻り光のビームスポットを各受光部１８ａ，１８ｂの略中心位置にくるように調整することができる。
【００８３】
なお、求めた傾き角度θだけ光検出器１８の取付向きを補正した後に、前記Ｙ方向の移動量ΔＹの１／２だけ光検出器１８の取付位置を上下方向（Ｙ方向）に戻し、その状態でいずれか一方の受光部１８ａ，１８ｂの光検出出力バランスを検出して光検出器１８の取付位置を左右方向（Ｘ方向）および上下方向（Ｙ方向）に調整するようにしてもよい。
【００８４】
図１２は各戻り光の光ビームスポットに対する光検出器の取付傾き（取付位置の回転方向の位置ずれ）を検出する方法のさらに他の例を示す説明図である。図１２に示す第３の取付傾き検出方法は、ＤＶＤ用のメインビーム受光素子パターン部１８ｂ１の各メインビーム受光素子ａ，ｂ，ｃ，ｄの光出力バランスとＣＤ用のメインビーム受光素子パターン部１８ａ１の各メインビーム受光素子Ａ，Ｂ，Ｃ，Ｄの光出力バランスとを検出して、光検出器１８の取付向きのずれ方向を求めるとともに、ずれ量（ずれ角度）を推定するようにしている。なお、ずれ量（ずれ角度）の推定を行わずに、光検出器１８の取付向きのずれ方向のみを検出し、そのずれ方向を補正する方向に光検出器１８の取付向きを補正するようにしてもよい。
【００８５】
そして、光検出器１８の取付向きを補正した後に、例えばＤＶＤ用のメインビーム受光素子パターン部１８ｂ１の各メインビーム受光素子ａ，ｂ，ｃ，ｄの光出力バランスを検出して、光検出器１８の取付位置を左右方向（Ｘ方向）および上下方向（Ｙ方向）に調整することで、各戻り光のビームスポットを各メインビーム受光素子パターン部１８ａ１，１８ｂ１のそれぞれ略中央に位置させることができる。
【００８６】
図１０乃至図１２に示したように、光検出器１８の取付向きのずれ（回転方向の位置ずれ）θを検出し、または、取付向きのずれの方向を検出し、その取付向きのずれ（回転方向の位置ずれ）を補正した後に、光検出器１８の取付位置を左右方向（Ｘ方向）および上下方向（Ｙ方向）に再度調整することで、各戻り光のビームスポットを各メインビーム受光素子パターン部１８ａ１，１８ｂ１のそれぞれ略中央に位置させることができる。これにより、光検出器１８の取付位置の調整を短時間で効率的に行うことができる。
【００８７】
また、光検出器取付板１７にその取付向きを調整するための治具に係合する孔部、溝部、凸部、切欠部または切り起こし部等の取付向きを調整するための機構を設けておくことで、取付向きの調整を容易に行うことができる。
【００８８】
【発明の効果】
以上説明したように本発明によれば、複数の光源から射出され光記録媒体で反射された各々の戻り光を個別に受光する複数の受光部パターンを同一基板上に形成した光検出器を有する光ピックアップ装置において、光検出器の取付位置の調整を効率的に行うことができる。また、光検出器の取付位置の調整を自動化することができる。
【図面の簡単な説明】
【図１】本発明の一実施の形態による光ピックアップ装置の模式構造図である。
【図２】本発明の一実施の形態による光ピックアップ装置で用いる光源を構成する２波長半導体レーザ（レーザダイオード）の概略構造を示す斜視図である。
【図３】本発明の一実施の形態による光ピックアップ装置で用いる対物レンズの構造図であり、図３（ａ）は正面図、図３（ｂ）は側面図である。
【図４】本発明の一実施の形態による光ピックアップ装置で用いる光検出器の受光部の受光素子パターン構成を示す図である。
【図５】本発明の一実施の形態による光ピックアップ装置で用いる光検出器（ＰＤ−ＩＣ）の動作様式の説明図である。
【図６】本発明の一実施の形態による他の光ピックアップ装置の模式構造図である。
【図７】本発明の一実施の形態による光ピックアップ装置で用いる光検出器の取付位置の調整方法の一例を示す斜視図である。
【図８】本発明の一実施の形態による光ピックアップ装置で用いる光検出器の取付部の構造の一例を示す図であり、図８（ａ）は平面図、図８（ｂ）は側面図、図８（ｃ）は光検出器取付板に対する光検出器の取付構造を示す図である。
【図９】本発明の一実施の形態による光検出器取付位置調整装置のブロック構成図である。
【図１０】本発明の一実施の形態による光ピックアップ装置の光検出器取付位置調整方法における各戻り光の光ビームスポットに対する光検出器の取付傾き（取付位置の回転方向の位置ずれ）を検出する方法の一例を示す説明図である。
【図１１】本発明の一実施の形態による光ピックアップ装置の光検出器取付位置調整方法における各戻り光の光ビームスポットに対する光検出器の取付傾き（取付位置の回転方向の位置ずれ）を検出する方法の他の例を示す説明図である。
【図１２】本発明の一実施の形態による光ピックアップ装置の光検出器取付位置調整方法における各戻り光の光ビームスポットに対する光検出器の取付傾き（取付位置の回転方向の位置ずれ）を検出する方法のさらに他の例を示す説明図である。
【符号の説明】
１ａ  コンパクトディスク（ＣＤ）
１ｂ  デジタル・バーサタイル・ディスク（ＤＶＤ）
１０，２０  光ピックアップ装置
１１，２１  ２波長半導体レーザ（複数の光源）
１１ｄ，１１ｅ，２１ｄ，２１ｅ  発光点
１２，２２  位相差板
１３ａ，１３ｂ，２３ａ，２３ｂ  回折格子
１４，２４  ビームスプリッタ（ビームスプリッタ板）
１５，２５  コリメータレンズ
１６，２６  対物レンズ（２重焦点回折型対物レンズ）
１７  光検出器取付板
１７ａ，１７ｂ  孔（光検出器の取付向きを調整するための機構）
１８，２８  光検出器（ＰＤ−ＩＣ）
１８ａ，２８ａ  ＣＤ用受光部
１８ｂ，２８ｂ  ＤＶＤ用受光部
１８ａ１，１８ｂ１  メインビーム受光素子パターン部
１８ａ２，１８ａ３，１８ｂ２，１８ｂ３  サブビーム受光素子パターン部
４１  ＣＯＢ基板
４２  フレキシブル配線板
ＬＡ  発光点の間隔
ＬＢ  受光部の間隔
Ｘ  水平方向（左右方向）
Ｙ  垂直方向（上下方向）
Ｚ  前後方向（光検出器の光軸方向）
ΔＹ  Ｙ方向（上下方向）の移動距離
θ  光検出器の取付向きのずれ角度および光検出器の光軸に対する回転方向
【図１】
0003652659.tif 000002
【図２】
0003652659.tif 000003
【図３】
0003652659.tif 000004
【図４】
0003652659.tif 000005
【図５】
0003652659.tif 000006
【図６】
0003652659.tif 000007
【図７】
0003652659.tif 000008
【図８】
0003652659.tif 000009
【図９】
0003652659.tif 000010
【図１０】
0003652659.tif 000011
【図１１】
0003652659.tif 000012
【図１２】
0003652659.tif 000013